(57)【特許請求の範囲】
【請求項１】
先端に鋭利な針先を有する針体と該針体の基端部に固定された針ハブとを有する穿刺針と、該穿刺針をその軸方向に沿って移動可能に収納し、前記針先が突出可能な開口を有し、外周面の周方向に沿って設けられた３つ以上の凸部を有する筒状のケーシングとを備える穿刺針チップを先端部に着脱自在に装着して用いられる穿刺装置であって、
前記ケーシングが着脱自在に装着される装着部を先端部に有する中空のハウジングと、
前記装着部の内側に周方向に沿って設けられ、前記ケーシングを前記装着部に装着すると、前記ケーシングの前記３つ以上の凸部が当接することにより弾性変形して前記３つ以上の凸部にそれぞれ圧接し、弾性定数の異なる複数の圧接片を有する圧接手段とを備え、
前記ケーシングが前記装着部に装着された状態で、前記各凸部のうちの２つには、弾性定数の異なる前記圧接片が圧接するよう構成されていることを特徴とする穿刺装置。
【請求項２】
先端に鋭利な針先を有する針体と該針体の基端部に固定された針ハブとを有する穿刺針と、該穿刺針をその軸方向に沿って移動可能に収納し、前記針先が突出可能な開口を有し、外周面の周方向に沿って設けられた３つ以上の凸部を有する筒状のケーシングとを備える穿刺針チップを先端部に着脱自在に装着して用いられる穿刺装置であって、
前記ケーシングが着脱自在に装着される装着部を先端部に有する中空のハウジングと、
前記装着部の内側に周方向に沿って設けられ、前記ケーシングを前記装着部に装着すると、前記ケーシングの前記３つ以上の凸部が当接することにより弾性変形して前記３つ以上の凸部にそれぞれ圧接し、弾性定数の異なる複数の圧接片を有する圧接手段とを備え、
前記ケーシングが前記装着部に装着される際、前記各圧接片に対する前記ケーシングの回転方向の位置にかかわらず、前記各凸部に圧接する前記各圧接片の合力により、前記ケーシングの軸が傾斜するよう構成されていることを特徴とする穿刺装置。
【請求項３】
前記ケーシングが前記装着部に装着された状態で、前記各圧接片のうちの弾性定数が最大のものは、前記各凸部のうちの１つのみに圧接するよう構成されている請求項１または２に記載の穿刺装置。
【請求項４】
前記各圧接片の弾性定数は、３段階以上に設定されており、
前記ケーシングが前記装着部に装着された状態で、前記各凸部に、それぞれ、異なる弾性定数の前記圧接片が圧接するよう構成されている請求項１ないし３のいずれかに記載の穿刺装置。
【請求項５】
前記圧接手段は、筒状をなし、前記ケーシングを前記装着部に装着すると、前記ケーシングが挿入される圧接部材を有し、
前記圧接部材には、前記圧接部材の基端から途中まで前記圧接部材の軸方向に延びる複数の第１スリットが、前記圧接部材の周方向に沿って設けられており、前記圧接部材の隣り合う前記第１スリットの間の部位が前記圧接片を構成している請求項１ないし４のいずれかに記載の穿刺装置。
【発明の詳細な説明】
【技術分野】
【０００１】
本発明は、穿刺装置に関するものである。
【背景技術】
【０００２】
近年、糖尿病患者の増加に伴い、日常の血糖値の変動を患者自身がモニターする自己血糖測定が推奨されてきている。この血糖値の測定には、血液中のブドウ糖量を測定する血糖測定装置が用いられる。この測定に先立ち、患者は、自分の血液を採取する必要がある。
【０００３】
血液を採取する方法としては、穿刺針により指先の皮膚を穿刺した後、その穿刺部周辺を指等で圧迫して血液を絞り出す。この指先の穿刺には、穿刺針と穿刺針を収納するケーシングとを有する穿刺針チップと、穿刺針チップが着脱自在に装着される装着部とその装着状態で穿刺針と連結するプランジャとを有する穿刺装置とで構成された穿刺器具セット（例えば、特許文献１参照）が用いられる。
【０００４】
具体的には、まず、一方の手の指でキャップが装着された穿刺針チップを把持し、他方の手の指で穿刺装置を把持し、穿刺針チップを穿刺装置に挿入して装着する。そして、穿刺針チップのケーシングからキャップを取り外し、この後、その装着状態で穿刺ボタンを押下して穿刺装置を作動させることにより、穿刺針チップの穿刺針をケーシングの開口部から一瞬突出させ、開口部に宛がった指先を穿刺する。そして、使用後には、穿刺針チップは穿刺装置から取り外され、廃棄される。なお、穿刺針チップの再使用を防止するため、一度穿刺操作がなされた穿刺針チップは、再度使用できないように構成されている。
【０００５】
しかしながら、従来の穿刺装置では、穿刺針チップのケーシングから開口部を覆うキャップを取り外す際、ケーシングの中心軸から傾いた方向にキャップを引き抜こうとすると、穿刺針チップが穿刺装置から取り外される方向に移動してしまうおそれがあった。これにより、穿刺する際、穿刺針チップの先端開口から針先が突出しなくなったり、突出量が減少して十分な穿刺ができなくなるという不具合が生じるおそれがある。また、前記キャップを取り外す際に限らず、一度装着した穿刺針チップを穿刺前に誤って、取り外してしまうか、または、取り外す方向に移動させてしまうことがあり、穿刺針チップが穿刺操作がなされた後の状態、あるいは針先が突出しない状態、すなわち、その使用ができない状態になってしまうというおそれがある。
【０００６】
一方、装着部の内径を狭めることによって、穿刺針チップとの嵌合力を高めることができる。しかし、穿刺針チップを装着あるいは離脱させる際に要する力も増大し、使い辛いものとなってしまう。嵌合力を高めるとともに、着脱にも負荷が大きくならない点でバランスさせる必要がある。そして、従来の構成では装着部はプラスチック成形品からなり、微妙な調整には限界があった。
【先行技術文献】
【特許文献】
【０００７】
【特許文献１】国際公開第２００４／９１４０２号パンフレット
【発明の概要】
【発明が解決しようとする課題】
【０００８】
本発明の目的は、装着された穿刺針チップのケーシングが装着部から離脱する方向へ移動するのを防止するとともに穿刺針チップの着脱に過大な力を必要としない穿刺装置を提供することにある。
【課題を解決するための手段】
【０００９】
このような目的は、下記（１）〜（５）の本発明により達成される。
（１）  先端に鋭利な針先を有する針体と該針体の基端部に固定された針ハブとを有する穿刺針と、該穿刺針をその軸方向に沿って移動可能に収納し、前記針先が突出可能な開口を有し、外周面の周方向に沿って設けられた３つ以上の凸部を有する筒状のケーシングとを備える穿刺針チップを先端部に着脱自在に装着して用いられる穿刺装置であって、
前記ケーシングが着脱自在に装着される装着部を先端部に有する中空のハウジングと、
前記装着部の内側に周方向に沿って設けられ、前記ケーシングを前記装着部に装着すると、前記ケーシングの前記３つ以上の凸部が当接することにより弾性変形して前記３つ以上の凸部にそれぞれ圧接し、弾性定数の異なる複数の圧接片を有する圧接手段とを備え、
前記ケーシングが前記装着部に装着された状態で、前記各凸部のうちの２つには、弾性定数の異なる前記圧接片が圧接するよう構成されていることを特徴とする穿刺装置。
【００１０】
（２）  先端に鋭利な針先を有する針体と該針体の基端部に固定された針ハブとを有する穿刺針と、該穿刺針をその軸方向に沿って移動可能に収納し、前記針先が突出可能な開口を有し、外周面の周方向に沿って設けられた３つ以上の凸部を有する筒状のケーシングとを備える穿刺針チップを先端部に着脱自在に装着して用いられる穿刺装置であって、
前記ケーシングが着脱自在に装着される装着部を先端部に有する中空のハウジングと、
前記装着部の内側に周方向に沿って設けられ、前記ケーシングを前記装着部に装着すると、前記ケーシングの前記３つ以上の凸部が当接することにより弾性変形して前記３つ以上の凸部にそれぞれ圧接し、弾性定数の異なる複数の圧接片を有する圧接手段とを備え、
前記ケーシングが前記装着部に装着される際、前記各圧接片に対する前記ケーシングの回転方向の位置にかかわらず、前記各凸部に圧接する前記各圧接片の合力により、前記ケーシングの軸が傾斜するよう構成されていることを特徴とする穿刺装置。
【００１１】
（３）  前記ケーシングが前記装着部に装着された状態で、前記各圧接片のうちの弾性定数が最大のものは、前記各凸部のうちの１つのみに圧接するよう構成されている上記（１）または（２）に記載の穿刺装置。
【００１２】
（４）  前記各圧接片の弾性定数は、３段階以上に設定されており、
前記ケーシングが前記装着部に装着された状態で、前記各凸部に、それぞれ、異なる弾性定数の前記圧接片が圧接するよう構成されている上記（１）ないし（３）のいずれかに記載の穿刺装置。
【００１３】
（５）  前記圧接手段は、筒状をなし、前記ケーシングを前記装着部に装着すると、前記ケーシングが挿入される圧接部材を有し、
前記圧接部材には、前記圧接部材の基端から途中まで前記圧接部材の軸方向に延びる複数の第１スリットが、前記圧接部材の周方向に沿って設けられており、前記圧接部材の隣り合う前記第１スリットの間の部位が前記圧接片を構成している上記（１）ないし（４）のいずれかに記載の穿刺装置。
【００１４】
本発明の穿刺装置では、前記圧接部材には、前記圧接部材の先端から途中まで前記圧接部材の軸方向に延びる複数の第２スリットが、前記圧接部材の周方向に沿って、前記第１スリットと交互に設けられていることが好ましい。
【００１５】
本発明の穿刺装置では、前記圧接部材は、先端側に設けられた大径部と、基端側に設けられ、前記大径部よりも内径の小さい小径部と、前記大径部と前記小径部との間に設けられ、前記大径部側から前記小径部側に向かって内径が漸減するテーパ部とを有することが好ましい。
【００１６】
本発明の穿刺装置では、前記第１スリットの先端は、前記大径部または前記テーパ部に位置しており、
前記各圧接片の弾性定数の設定は、前記テーパ部の軸方向の長さの設定によりなされていることが好ましい。
【００１７】
本発明の穿刺装置では、前記各圧接片の弾性定数の設定は、前記第２スリットの軸方向の長さまたは幅の設定によりなされていることが好ましい。
【００１８】
本発明の穿刺装置では、前記各圧接片の弾性定数の設定は、前記圧接片の厚さの設定によりなされていることが好ましい。
【００１９】
本発明の穿刺装置では、前記ケーシングを前記ハウジングに対して先端方向に移動させ、前記穿刺針チップを当該穿刺装置から取り外すイジェクト機構を有することが好ましい。
【００２０】
本発明の穿刺装置では、前記穿刺針チップは、前記針先が突出可能な開口を覆うように前記ケーシングに嵌合したキャップを有し、
前記キャップと前記ケーシングの嵌合力よりも、前記各圧接片の前記ケーシングへの圧接力の方が大きいことが好ましい。
【発明の効果】
【００２１】
本発明によれば、穿刺針チップのケーシングが装着部に装着された状態で、ケーシングの各凸部のうちの２つには、穿刺装置の弾性定数の異なる圧接片が圧接するので、その装着の際の一方の圧接片の凸部への圧接力が他方の圧接片の凸部への圧接力よりも大きくなる。すなわち、他方の圧接片が一方の圧接片よりも大きく弾性変形し、これにより、ケーシングの軸が穿刺装置側の軸に対して傾斜する。
【００２２】
これにより、装着された穿刺針チップのケーシングが不本意に装着部から離脱する方向へ移動してしまうことを防止することができる。これによって、装着された未使用の穿刺針チップが、使用前にその使用ができない状態になってしまうことや、使用時に針先が穿刺針チップの先端開口部から突出しないということを防止することができる。また、同時に、穿刺針チップを装着あるいは離脱させる際に要する力が過大とならない様に、圧接力の微妙な設定を可能とすることができる。
【図面の簡単な説明】
【００２３】
【図１】本発明の穿刺装置と、穿刺針チップとで構成された穿刺器具セットの実施形態において、穿刺装置に穿刺針チップを装着した状態を示す斜視図である。
【図２】図１に示す穿刺針チップの断面図である。
【図３】図１に示す穿刺器具セットの分解斜視図である。
【図４】図１に示す穿刺装置の前端部材およびコレットの分解斜視図である。
【図５】図１に示す穿刺装置のコレットの背面図である。
【図６】図５に示すコレットのＡ−Ａ線での断面図である。
【図７】図１に示す穿刺装置の前端部材、コレットおよびケース本体を示す断面図である。
【図８】図７に示す前端部材およびコレットのＢ−Ｂ線での断面図である。
【図９】図１に示す穿刺器具セットにおける穿刺装置の前端部材の第２部材およびコレットと、穿刺針チップのケーシングとを示す斜視図である。
【図１０】図１に示す穿刺装置の前端部材、コレット、ケース本体および第２接続体を示す断面図である。
【図１１】図１に示す穿刺器具セットにおける穿刺装置の前端部材、コレット、ケース本体および第２接続体と、穿刺針チップのケーシングとを示す断面図である。
【図１２】図９中のＣ−Ｃ線での断面図である。
【図１３】図１に示す穿刺器具セットの作用を説明するための断面図である。
【図１４】図１に示す穿刺器具セットの作用を説明するための断面図である。
【図１５】図１に示す穿刺器具セットの作用を説明するための断面図である。
【図１６】図１に示す穿刺装置のコレットの他の構成例を示す斜視図である。
【図１７】図１に示す穿刺装置のコレットの他の構成例を示す斜視図である。
【発明を実施するための形態】
【００２４】
以下、本発明の穿刺装置を添付図面に示す実施形態に基づいて詳細に説明する。
図１は、本発明の穿刺装置と、穿刺針チップとで構成された穿刺器具セットの実施形態において、穿刺装置に穿刺針チップを装着した状態を示す斜視図である。図２は、図１に示す穿刺針チップの断面図である。図３は、図１に示す穿刺器具セットの分解斜視図である。図４は、図１に示す穿刺装置の前端部材およびコレットの分解斜視図である。図５は、図１に示す穿刺装置のコレットの背面図、すなわち基端側から見た図である。図６は、図５に示すコレットのＡ−Ａ線での断面図である。図７は、図１に示す穿刺装置の前端部材、コレットおよびケース本体を示す断面図である。図８は、図７に示す前端部材およびコレットのＢ−Ｂ線での断面図である。図８は、図１に示す穿刺器具セットにおける穿刺装置の前端部材の第２部材およびコレットと、穿刺針チップのケーシングとを示す斜視図である。図１０は、図１に示す穿刺装置の前端部材、コレット、ケース本体および第２接続体を示す断面図である。図１１は、図１に示す穿刺器具セットにおける穿刺装置の前端部材、コレット、ケース本体および第２接続体と、穿刺針チップのケーシングとを示す断面図である。図１３は、図９中のＣ−Ｃ線での断面図である。図１３〜図１５は、図１に示す穿刺器具セットの作用を説明するための断面図である。図１６および図１７は、図１に示す穿刺装置のコレットの他の構成例を示す斜視図である。なお、図１３では、前端部材は、第１部材および第２部材が図示されている。
【００２５】
以下では、各図において、軸方向をＸ方向とし、Ｘ１方向を「先端」、「前端」または前方」とし、Ｘ２方向を「基端」、「後端」または「後方」として説明を行う。
【００２６】
図１に示すように、穿刺器具セット１０は、穿刺針チップ１２と、その穿刺針チップ１２が先端部に着脱自在に装着される穿刺装置１とを有している。穿刺装置１は、穿刺針チップ１２を装着した装着状態、すなわち図１に示す状態で、生体表面を穿刺するために用いられる。
【００２７】
まず、穿刺針チップ１２について説明する。
図２及び図３に示すように、穿刺針チップ１２は、チップ本体１３と、チップ本体１３に着脱自在に装着されるキャップ１４とを有する。チップ本体１３は、皮膚を穿刺する穿刺針１５と、穿刺針１５に係合している摺動リング（移動制限手段）１６と、穿刺針１５を内部に摺動可能に保持する筒状のケーシング１８とを有する。
【００２８】
穿刺針１５は、先端の針（針体）２０と、該針２０の後方部と一体的に成型され、又は接着されたハブ（針ハブ）２２とを有する。ハブ２２は、周状に等角度間隔で並ぶ前方に突出した４本の弾性レバー２４と、後方の円筒形状の摺動支持部２６と、後端に突出した被把持突起２８とを有する。摺動支持部２６及び摺動リング１６の外径は、ケーシング１８の内径と略同径であって、ケーシング１８内を軸方向に摺動可能である。
【００２９】
４本の弾性レバー２４は摺動リング１６の内部に挿入され、摺動リング１６に当接している。摺動リング１６はその後端面が、ハブ２２に設けられた微小段差２４ａに当接しており、穿刺針１５が前進する際には、同時に押し出されることになる。また、弾性レバー２４の摺動リング１６との当接部には突起や段差がなく、穿刺針１５が後退する際には摺動リング１６は抜かれやすい。
【００３０】
ケーシング１８は、筒形状であって先端の縮径部３２と、該縮径部３２の後方に設けられた内周段差部３４と、中程やや前方における内周面に僅かに突出した３つの前方膨出部３６と、後方内周面に僅かに突出した後方環状膨出部４０と、中程の外周に設けられたスカート４１とを有する。
【００３１】
前方膨出部３６は、穿刺針１５が前進する際に摺動リング１６が乗り超えられる程度の低い膨出部である。前方膨出部３６は、例えば３つ程度が等間隔に設けられ、後方側がなだらかで前方が比較的急な傾斜となっており、摺動リング１６が後方からは乗り越えやすく、前方からは乗り越えられない。摺動支持部２６の周面３０は、後方環状膨出部４０と適度な強度で嵌合して固定されている。この嵌合は、いわゆる圧入状態となっている。後方環状膨出部４０と周面３０の嵌合により針２０の後方部は気密性が保たれる。周面３０と後方環状膨出部４０との嵌合は、例えば周面３０に適度なアンダーカットを設け該アンダーカットに後方環状膨出部４０が嵌り込むような構成としてもよい。
【００３２】
縮径部３２は、外周面及び内周面とも先端に向かって縮径する形状であって、先端には円形の開口部４２が設けられている。
【００３３】
スカート４１は環状体であって、断面視で（図２参照）ケーシング１８の外周から突出して後端側に伸び、ケーシング１８との間に嵌合隙間部４１ａを形成している。
【００３４】
また、ケーシング１８の基端側の端部の外周部、すなわち、スカート４１よりも基端側の外周部には、複数のリブ（チップ側リブ）４４が突出形成されている。各リブ４４は、軸方向に沿って延存している。また、各リブ４４は、ケーシング１８の外周部の周方向に沿って、ケーシング１８の中心軸回りに等角度間隔に配置されている。
【００３５】
本実施形態では、リブ４４の数は、６つであり、そのうちの３つは、他の３つよりもその高さが高くなるように設定されている。また、高さが高い方のリブ４４と低い方のリブ４４とは、ケーシング１８の周方向に沿って交互に配置されている。ケーシング１８が穿刺装置１の後述する装着部１５０に装着された状態では、各リブ４４のうち、高さが高い方の３つのリブ４４に、後述するコレット５の対応する圧接片５８が圧接する。したがって、その高さが高い方の３つのリブ４４により、ケーシング１８が装着部１５０に装着された状態で対応する圧接片５８が圧接する凸部を構成する。なお、ケーシング１８が装着部１５０に装着された状態で対応する圧接片５８が圧接するリブ４４の数は、３つ以上であれば特に限定されるものではない。
【００３６】
図２に示すように、キャップ１４は、有底筒状をなしており、ケーシング１８の縮径部３２に嵌合し、開口部４２を塞ぐ。すなわち、キャップ１４は、縮径部３２に着脱自在に装着され、開口部４２を気密的に封止する。
【００３７】
次に、穿刺針チップ１２が装着される穿刺装置１について説明する。
図３及び図１３（ａ）に示すように、穿刺装置１はケース本体１０２をベースに構成されており、穿刺深さの設定を行うダイヤル部１０４と、軸方向に進退可能なプランジャ１０６と、該プランジャ１０６の中段部に同軸配置された駆動用コイルスプリング１０８と、後端部に同軸配置された戻し用コイルスプリング１１０とを有する。ケース本体１０２は、中空で筒状をなしている。
【００３８】
穿刺装置１は、さらに、ダイヤル部１０４をケース本体１０２の後端側に回転自在に保持する後端部材１１２と、ケース本体１０２の先端側の側部に形成された孔１１４に配置される穿刺ボタン１１６と、ケース本体１０２の先端に設けられ穿刺ボタン１１６を内向きに変位可能に弾性的に保持する前端部材１１８とを有する。なお、ケース本体１０２、後端部材１１２および前端部材１１８により、穿刺装置１のハウジングの主要部が構成される。
【００３９】
また、穿刺装置１は、後端部材１１２の内腔部においてその後端部材１１２に対して進退自在のプッシャ１２０と、ケース本体１０２内にケース本体１０２に対してその軸方向に移動可能に設置され、プッシャ１２０に接続される第１接続体１２２と、ケース本体１０２および前端部材１１８内にその軸方向に移動可能に設置され、第１接続体１２２に接続される第２接続体１２４とを有する。
【００４０】
プランジャ１０６は、駆動用コイルスプリング１０８の一端を支持する中段部の第１ばね座１３０と、外向きフック形状で後端に設けられた一対の第２ばね座１３２と、ハブ２２の被把持突起２８に嵌合する把持バー１３４と、上方中段部から前方に向けて延在する弾性片１３６と、やや後方の下部に設けられた小突起１３８を有する。なお、把持バー１３４により、穿刺針１５が着脱自在に装着される装着部が構成される。
【００４１】
後端部材１１２の先端側内面には、周方向に配列され、軸方向（後端方向）の高さの異なる複数の階段部１３９を有する。階段部１３９は、穿刺時にプランジャ１０６が前方に勢いよく移動するときに該プランジャ１０６の小突起１３８が当接することで、針２０の開口部４２からの突出長さを規定する。つまり、ダイヤル部１０４を回転することにより階段部１３９が周方向に移動し、小突起１３８の当接する階段部１３９の高さが異なることによって針２０の突出長さが調整されて、穿刺深さを調整することができる。
【００４２】
後端部材１１２の前端面１１２ａは、プランジャ１０６が後方に移動するときに第１ばね座１３０が当接するのに十分な面積を有し、該プランジャ１０６の後方への移動を規制するストッパとして作用する。
【００４３】
把持バー１３４は、スリットにより２つに分かれた円筒形状であり、やや弾性変形しながらハブ２２の被把持突起２８に嵌合して適度な摩擦力により該ハブ２２を保持することができる。弾性片１３６は先端上部の第１突起１４０と、やや後方の第２突起１４２とを有する。第１ばね座１３０は、第１接続体１２２の一部が挿通する開口１４４が左右に設けられている。また、第１ばね座１３０は後方に開口するカップ形状となっている。
【００４４】
前端部材１１８は、先端側に、穿刺針チップ１２のケーシング１８が着脱自在に装着される装着部１５０を有する。装着部１５０は、外面が先端に向かいやや縮径するテーパを有する筒形状であり、ケース本体１０２からやや突出している。この装着部１５０の内側には、圧接手段である筒状をなすコレット（圧接部材）５が設置されている。なお、コレット５については、後で詳述する。
【００４５】
また、前端部材１１８は、複数の部材、本実施形態では、第１部材１１８ａおよび第２部材１１８ｂで構成されている（図４参照）。これにより、装着部１５０の内側にコレット５を容易に設置することができる。なお、第１部材１１８ａと、第２部材１１８ｂとは、例えば、接着剤による接着、融着等により接合される。
【００４６】
装着部１５０の先端部の外径は、前記のスカート４１の嵌合隙間部４１ａ及びケース本体１０２の先端の筒先端部１５１の内径部にちょうど嵌合するように設定されている。
【００４７】
ケース本体１０２の先端の筒先端部１５１の板厚は適度に厚く、スカート４１の後端部４１ｂが当接する受け座として作用する。以下、筒先端部１５１を受け座１５１とも呼ぶ。装着部１５０の内腔部は、穿刺針チップ１２が装着される装着穴１５３となっている。初期状態では、装着穴１５３にはプランジャ１０６の把持バー１３４が配置されている。
【００４８】
また、装着部１５０の内周部には、複数のリブ（装着部側リブ）１６２が突出形成されている。各リブ１６２は、軸方向に沿って延在している。また、各リブ１６２は、装着部１５０の内周部の周方向に沿って、すなわち後述するコレット５の周方向に沿って、装着部１５０の中心軸回りに等角度間隔に配置されている。
【００４９】
なお、リブ１６２の数は、複数であれば特に限定されないが、本実施形態では、１２である。そして本実施形態では、装着部１５０に穿刺針チップ１２のケーシング１８を挿入する際、ケーシング１８の隣り合う２つのリブ４４の間に装着部１５０の２つのリブ１６２が位置し、すなわち、隣り合う２つのリブ１６２の間であって、ひとつおきに、１つのリブ４４が位置するように構成されている。このようなリブ１６２および４４を設けることにより、穿刺針チップ１２のその径方向への移動が規制され、穿刺針１５をプランジャ１０６に確実に装着することができる。また、リブ１６２とリブ４４とが係合することにより、装着部１５０に対するケーシング１８のその軸回りの回転が所定量以内に規制される。
【００５０】
前端部材１１８における装着部１５０以外の箇所はケース本体１０２内に挿入されており、穿刺ボタン１１６を保持する保持部１５２と、プランジャ１０６が駆動用コイルスプリング１０８を圧縮して後端側に移動したときに該プランジャ１０６の第１突起１４０に係合するトリガストッパ１５４とを有する。
【００５１】
第１接続体１２２は、後方が筒体で、前方に２本のアーム１５６を有する。２本のアーム１５６は、プランジャ１０６の各開口１４４に挿通している。第２接続体１２４は上面が開口した筒体であり、後端に各アーム１５６のスリットに係合する係合片１５８を有する。つまり、第１接続体１２２と第２接続体１２４とは係合片１５８を介して一体的に接続されており、プッシャ１２０を押し込むことにより第１接続体１２２と第２接続体１２４は一体的に移動する。
【００５２】
また、第２接続体１２４の外周部の軸方向の途中には、ケース本体１０２の内周部等に形成された図示しない３つの溝に挿入される３つの突起１５９が形成されており、各突起１５９が各溝に沿って移動するように構成されている。各突起１５９は、第２接続体１２４が最も先端側に移動したとき、コレット５よりも基端側に位置するように配置されている。これらの突起１５９により、第２接続体１２４がケース本体１０２に対して移動する際、第２接続体１２４がケース本体１０２に対してその軸回りに回転してしまうことを防止することができる。
【００５３】
なお、添付の縦断面図、例えば、図１３（ａ）、図１３（ｂ）、図１３（ｃ）等では、その断面位置により、第１接続体１２２と第２接続体１２４は一部しか表れていないが、該第１接続体１２２及び第２接続体１２４がプッシャ１２０と一体的な構成となっていることは図３から容易に理解されよう。
【００５４】
第１接続体１２２の後方の筒状部はプランジャ１０６の後方側を覆うように配置され、第２接続体１２４はプランジャ１０６の前方側を覆うように配置され、プランジャ１０６は、第１接続体１２２及び第２接続体１２４の内側で軸方向に進退可能である。
【００５５】
なお、プッシャ１２０、第１接続体１２２および第２接続体１２４により、穿刺針チップ１２のケーシング１８を前端部材１１８に対して先端方向に移動させて穿刺針チップ１２を穿刺装置１から取り外すイジェクト機構の主要部が構成される。また、第２接続体１２４は、ケーシング１８の基端部を押圧してそのケーシング１８を先端方向に移動させるイジェクト部材を構成する。
【００５６】
また、軸方向に移動可能に設置され、穿刺針１５が着脱自在に装着される装着部である把持バー１３４を有するプランジャ１０６と、プランジャ１０６を先端方向に付勢する付勢部材である駆動用コイルスプリング１０８と、駆動用コイルスプリング１０８により先端方向に付勢されたプランジャ１０６の係合部である第１突起１４０に係合し、プランジャ１０６の移動を阻止するトリガストッパ１５４とにより、穿刺針１５を少なくとも発射準備位置から穿刺位置まで移動させる穿刺機構の主要部が構成される。
【００５７】
また、穿刺ボタン１１６は、前記穿刺機構を発動させ、穿刺動作を開始させる操作を行うものである。すなわち、穿刺ボタン１１６を押下することにより、プランジャ１０６の第１突起１４０とトリガストッパ１５４との係合状態が解除され、穿刺動作が開始される。
【００５８】
次に、コレット５について説明する。
図３〜図１２に示すように、前端部材１１８の装着部１５０の内側には、筒状をなすコレット５が設置されている。コレット５は、装着部１５０の軸方向において、リブ１６２よりも基端側に配置されている。
【００５９】
コレット５は、筒状をなす基部５０と、基部５０の基端部から基端方向に突出するように形成された複数の圧接片５８とを有している。圧接片５８の数は、複数であれば特に限定されないが、本実施形態では、圧接片５８の数は、６つに設定されている。また、６つの圧接片５８ａ、５８ｂ、５８ｃ、５８ｄ、５８ｅ、５８ｆは、図１２中の反時計回りに、この順序で、基部５０の周方向に沿って、等角度間隔に配置されている。すなわち圧接片５８ａ〜５８ｆは、装着部１５０の内側に周方向に沿って並設されている。また、圧接片５８ａ〜５８ｆの幅は、同一に設定されている。
【００６０】
なお、以下では、各圧接片５８を区別する場合は、「圧接片５８ａ」、「圧接片５８ｂ」、「圧接片５８ｃ」、「圧接片５８ｄ」、「圧接片５８ｅ」、「圧接片５８ｆ」と言い、区別しない場合は、「圧接片５８」と言う。
【００６１】
また、ケーシング１８の６つのリブ４４のうち、高さが高い方の３つのリブ４４を高さが低い方の３つのリブ４４と区別する場合は、「リブ４４ａ」と言い、区別しない場合は、「リブ４４」と言う。なお、「４４ａ」の符号は、図９および図１２のみに付す。
【００６２】
このコレット５は、穿刺針チップ１２のケーシング１８を装着部１５０に装着すると、ケーシング１８が挿入されることにより、ケーシング１８の３つのリブ４４ａに当接する３つの圧接片５８が弾性変形し、ケーシング１８の各リブ４４ａに圧接するよう構成されている。そして、コレット５、すなわち、各圧接片５８のケーシング１８への圧接力は、キャップ１４とケーシング１８の嵌合力よりも十分に大きくなるように設定されている。
【００６３】
ここで、圧接片５８ａ〜５８ｆは、その弾性定数が異なっている。本実施形態では、圧接片５８ａ〜５８ｆの弾性定数は、３段階に設定されている。以下では、その３段階の弾性定数について、最大のものを「大」、最小のものを「小」、その間のものを「中」と言う。
【００６４】
まず、圧接片５８ａ〜５８ｆの弾性定数は、それぞれ、大、中、小、小、中、大に設定されている。すなわち、図１２中の反時計回りに、大、中、小、小、中、大の圧接片５８が、この順序で等角度間隔に配置されている。
【００６５】
これにより、穿刺針チップ１２のケーシング１８をその軸周りにどのような角度で、装着部１５０に装着しても、すなわち、圧接片５８ａ〜５８ｆに対するケーシング１８の回転方向の位置にかかわらず、各リブ４４ａに、それぞれ、大、中、小の圧接片５８が圧接する。
【００６６】
これにより、圧接片５８と小径部５３とケーシング１８の各リブ４４ａとの間に大きな摩擦力が生じ、前端部材１１８に対するケーシング１８の先端方向への移動を確実に阻止することができる。
【００６７】
そして、ケーシング１８が装着部１５０に装着される際、各リブ４４ａに圧接する圧接片５８ａ〜５８ｆの合力により、ケーシング１８の軸が装着部１５０の軸に対して傾斜する。
【００６８】
すなわち、ケーシング１８が装着部１５０に装着された状態では、小の圧接片５８が最も大きく弾性変形し、大の圧接片５８が最も小さく弾性変形し、中の圧接片５８がその間の大きさに弾性変形し、これにより、ケーシング１８の軸が装着部１５０の軸に対して傾斜する。これによって、装着された穿刺針チップ１２のケーシング１８が不本意に装着部１５０から離脱する方向へ移動してしまうことを防止することができる。
【００６９】
従って、キャップ１４をケーシング１８から取り外す際、キャップ１４をケーシング１８の中心軸から傾いた方向に引っ張って過大な力がかかる場合でも、前端部材１１８に対するケーシング１８の先端方向への移動を防止することができ、装着された穿刺針チップ１２が、使用前にその使用ができない状態や針先が先端開口から十分に突出しない状態になってしまうことを防止することができる。
【００７０】
なお、「大、中、小、小、中、大」の並びの圧接片５８を１単位とした場合、１単位に限らず、例えば、２単位、４単位、５単位、７単位等、３の倍数以外の単位数であればよい。
【００７１】
また、１単位は、「大、中、小、小、中、大」の順番に限らず、例えば、「大、中、小、大、中、小」、「大、大、中、中、小、小」等、他の順番にしてもよい。
【００７２】
また、圧接片５８の弾性定数の段階数は、３段階に限らず、２段階でもよく、また、４段階以上でもよい。
また、ケーシング１８を支持する点数は、３点に限らず、４点以上でもよい。
【００７３】
なお、ケーシング１８を３点で支持する場合は、コレット５の中心角の１／３のみを「大」の圧接片５８に設定することで、その他をどのように設定しても、３つのリブ４４ａのうちの１つのみに「大」の圧接片５８が当接し、他の２つには、「大」の圧接片５８は、当接せず、「中」または「小」の圧接片５８が当接する。すなわち、Ｎ（Ｎは、３以上の整数）点支持の場合は、コレット５の中心角の１／Ｎのみを「大」に設置することで、その他をどのように設定しても、１つのリブ４４ａのみに「大」の圧接片５８が当接する。これにより、ケーシング１８の軸を装着部１５０の軸に対して傾斜させることができる。なお、「大」の圧接片５８以外は、例えば、「中」のみの圧接片５８に設定してもよく、また、「小」のみの圧接片５８に設定してもよく、また、「中」および「小」の圧接片５８に設定してもよい。
【００７４】
圧接片５８ａ〜５８ｆの弾性定数は、本実施形態では、第２スリット５５の長さを調整することにより設定する。
【００７５】
すなわち、「大」の圧接片５８ａ、５８ｆの場合が、第２スリット５５の長さが最小となり、「小」の圧接片５８ｃ、５８ｄの場合が、第２スリット５５の長さが最大となり、「中」の圧接片５８ｂ、５８ｅ場合が、第２スリット５５の長さがその最大と最小の間となる。
【００７６】
また、コレット５は、下記の構成を有している。図４〜図６に示すように、コレット５は、先端側に設けられた大径部５１と、基端側に設けられ、大径部５１よりも外径および内径の小さい小径部５３と、大径部５１と小径部５３との間に設けられ、大径部５１側から小径部５３側に向かって外径および内径がそれぞれ漸減するテーパ部５２とを有しており、小径部５３がケーシング１８の外周部のリブ４４に圧接するようになっている。なお、コレット５の肉厚は、本実施形態では、一定であるが、これに限らず、例えば、軸方向に変化していてもよい。
【００７７】
また、大径部５１の内径は、ケーシング１８の６つのリブ４４のうち高さが高い方の３つのリブ４４を含む外径よりも若干大きく設定されており、小径部５３の内径は、前記ケーシング１８の高さが高い方の３つのリブ４４を含む外径よりも若干小さく設定されている。
【００７８】
また、コレット５には、複数の第１スリット５４と、複数の第２スリット５５とが形成されている。第１スリット５４および第２スリット５５の数は、それぞれ、複数であれば特に限定されないが、本実施形態では、第１スリット５４および第２スリット５５の数は、それぞれ、６つに設定されている。また、第１スリット５４と第２スリット５５とは、コレット５の周方向に沿って交互に配置されている。
【００７９】
第１スリット５４は、コレット５の基端から途中まで軸方向に延びるスリットである。すなわち、第１スリット５４は、コレット５の基端側に開放している。各第１スリット５４は、コレット５の周方向に沿って、コレット５の中心軸回りに等角度間隔に配置されている。この隣り合う第１スリット５４の間の部位が前記圧接片５８を構成している。
【００８０】
また、第２スリット５５は、コレット５の先端から途中まで軸方向に延びるスリットである。すなわち、第２スリット５５は、コレット５の先端側に開放している。各第２スリット５５は、コレット５の周方向に沿って、コレット５の中心軸回りに等角度間隔に配置されている。この第２スリット５５により、ケーシング１８がコレット５内に挿入され小径部５３を押し広げたとき、それに応じてコレット５の大径部５１が若干狭まることで、小径部５３が容易に広がることができる。この第２スリット５５の数や寸法等の設定を調整することにより、コレット５の弾性力を最適の所定値に調整することができる。なお、第１スリット５４のみで最適の弾性力を設定できるのであれば、第２スリット５５を設けることは必ずしも必要ではない。
【００８１】
また、第１スリット５４の先端は、第２スリット５５の基端よりも先端側に位置している。すなわち、第１スリット５４と第２スリット５５とは、コレット５の軸線に対して垂直な方向から見て、大径部５１およびテーパ部５２において互いに重なっている。これにより、小径部５３がより確実に広がることができる。
【００８２】
なお、第１スリット５４の先端は、第２スリット５５の基端よりも基端側に位置していてもよく、また、第１スリット５４の先端と第２スリット５５の基端の位置はコレット５の軸方向で一致していてもよい。
【００８３】
また、第１スリット５４の先端は、大径部５１、テーパ部５２、小径部５３のうちのいずれに位置していてもよいが、大径部５１またはテーパ部５２に位置していることが好ましい。本実施形態では、第１スリット５４の先端は、大径部５１に位置している。すなわち、第１スリット５４は、小径部５３およびテーパ部５２をコレット５の軸方向に貫通している。これにより、小径部５３がより確実に広がることができる。
【００８４】
また、第２スリット５５の基端は、大径部５１、テーパ部５２、小径部５３のうちのいずれに位置していてもよいが、大径部５１またはテーパ部５２に位置していることが好ましい。本実施形態では、第２スリット５５の基端は、大径部５１またはテーパ部５２に位置している。
【００８５】
この穿刺装置１では、図１０に示す状態から、図９および図１１に示すように、ケーシング１８がコレット５内に挿入されると、６つのリブ４４のうち高さが高い方の３つのリブ４４ａにより、小径部５３が広がる方向に押圧される。これによって、第１スリット５４により小径部５３が広がり、その小径部５３の内径が増大し、コレット５の弾性力により小径部５３がケーシング１８の外周部、すなわち前記高い方の３つのリブ４４に圧接する。この場合、小径部５３、すなわち、各圧接片５８は、ケーシング１８をその外周の３箇所において、外周から中心に向けて締め付ける。
【００８６】
また、図７に示すように、コレット５の各第１スリット５４および各第２スリット５５と、前述した前端部材１１８の各リブ１６２とは、それぞれ、コレット５の周方向における位置が一致している。
【００８７】
一方、装着部１５０に穿刺針チップ１２のケーシング１８を装着する際、そのケーシング１８の各リブ４４は、それぞれ、装着部１５０の隣り合う２つのリブ１６２の間に位置するので、図９に示すように、ケーシング１８がコレット５内に挿入されたとき、リブ４４が第１スリット５４に嵌ってしまうことを防止することができる。これにより、ケーシング１８がコレット５内に挿入されたとき、６つのリブ４４のうち高さが高い方の３つのリブ４４ａが各圧接片５８を確実に押圧することができ、小径部５３が確実に広がることができる。
【００８８】
また、図５〜図８に示すように、コレット５の大径部５１の先端の外周面には、コレット５の径方向に突出するフランジ５６が形成されている。なお、前記各第２スリット５５は、このフランジ５６にも形成されている。すなわち、フランジ５６は、各第２スリット５５により、複数に分割されている。
【００８９】
また、大径部５１の先端の外周面の所定位置には、コレット５の径方向に突出する突出部５７が形成されている。この突出部５７の高さ、すなわち、コレット５の径方向における突出部５７の長さは、径方向におけるフランジ５６の長さよりも長く設定されている。
【００９０】
コレット５のフランジ５６は、装着部１５０に形成された溝１６４内に挿入され、装着部１５０に対するコレット５のその軸方向の移動が阻止される。したがって、コレット５のフランジ５６および装着部１５０の溝１６４により、装着部１５０に対するコレット５の軸方向の移動を阻止する移動阻止手段が構成される。
【００９１】
また、コレット５の突出部５７は、装着部１５０に形成された溝１６６内に挿入され、装着部１５０に対するコレット５のその軸回りの回転が阻止される。したがって、コレット５の突出部５７および装着部１５０の溝１６６により、装着部１５０に対するコレット５の軸回りの回転を阻止する回転阻止手段が構成される。なお、装着部１５０には、溝１６６に代えて、突出部５７が挿入される貫通孔を形成してもよい。
【００９２】
また、コレット５の構成材料としては、特に限定されず、例えば、各種金属材料や各種樹脂材料等が挙げられるが、金属材料が好ましい。コレット５を金属材料で構成することにより、コレット５の肉厚を薄くしつつ、強度を確保することができ、また、十分な弾性力を得ることができる。
【００９３】
次に、このように構成される穿刺器具セット１０及び穿刺装置１の作用について説明する。
【００９４】
図１３（ａ）に示すように、先ず、使用者は、穿刺装置１およびキャップ１４が装着された未使用の穿刺針チップ１２を把持し、その穿刺針チップ１２を穿刺装置１の装着穴１５３に差し込んで後端側に向かって押し込む。このとき、ハブ２２の被把持突起２８に対してプランジャ１０６の把持バー１３４が係合する。すなわち、穿刺針１５がプランジャ１０６に装着される。
【００９５】
図１３（ｂ）に示すように、穿刺針チップ１２をさらに後端側に向かって押し込むと、ケーシング１８からハブ２２及びプランジャ１０６を介して駆動用コイルスプリング１０８を圧縮し、やがてプランジャ１０６における第１ばね座１３０のカップ状の後端部が後端部材１１２の前端面１１２ａに当接する。これによりプランジャ１０６の後端側への移動が規制される。また、弾性片１３６が一旦弾性変形した後に第１突起１４０がトリガストッパ１５４に係合しプランジャ１０６が駆動用コイルスプリング１０８を圧縮した状態で固定される。
【００９６】
なお、ハブ２２の周面３０とケーシング１８の後方環状膨出部４０との嵌合力は、駆動用コイルスプリング１０８の弾性力よりも強く、ハブ２２とケーシング１８との嵌合が解除されることはない。
【００９７】
この段階では、プランジャ１０６は穿刺をする準備位置まで達してトリガストッパ１５４によって固定されているが、ハブ２２とケーシング１８との係合は解除されておらず、スカート４１は装着部１５０を覆っていない。ただし、穿刺針１５は発射準備位置に達している。
【００９８】
図１３（ｃ）に示すように、穿刺針チップ１２をさらに後端側に向かって押し込むと、プランジャ１０６は前端面１１２ａによって後端側への移動が規制されていることから、使用者の加える力はハブ２２における摺動支持部２６の周面３０とケーシング１８の後方環状膨出部４０との係合部に直接的に加えられることになり、係合部の係合が解除される。つまり、ハブ２２及びプランジャ１０６の位置は変わらないが、ケーシング１８は相対的に後方に移動する。装着部１５０はスカート４１の嵌合隙間部４１ａ（図２参照）に嵌合し、スカート４１の後端部４１ｂが受け座１５１に当接して止まる。装着部１５０の先端部と嵌合隙間部４１ａの先端底面とは僅かに隙間があり（図１４（ｂ）参照）、後端部４１ｂは受け座１５１に確実に当接する。このようにして、ケーシング１８は、装着部１５０に装着される。すなわち、穿刺針チップ１２は、規定の位置に確実に装着される。
【００９９】
このとき、ケーシング１８の後端が第２接続体１２４の前端面を押圧することにより、該第２接続体１２４及び第１接続体１２２を介してプッシャ１２０は後方に押し出され、後端から突出する。
【０１００】
また、この際、ケーシング１８の隣り合う２つのリブ４４の間に装着部１５０の２つのリブ１６２が位置し、すなわち、隣り合う２つのリブ１６２の間であって、ひとつおきに、１つのリブ４４が位置する。その状態で、ケーシング１８が移動し、コレット５内に挿入され、６つのリブ４４のうち高さが高い方の３つのリブ４４ａに押圧されて、小径部５３が広がり、対応する圧接片５８がケーシング１８の各リブ４４ａに圧接する。そして、小の圧接片５８が最も大きく弾性変形し、大の圧接片５８が最も小さく弾性変形し、中の圧接片５８がその間の大きさに弾性変形し、これにより、ケーシング１８の軸が装着部１５０の軸に対して傾斜する。これによって、装着された穿刺針チップ１２のケーシング１８が不本意に装着部１５０から離脱する方向へ移動してしまうことを防止することができる。
【０１０１】
なお、このとき、装着部１５０はスカート４１によって完全に覆われ、外からは視認できなくなっている。
【０１０２】
次いで、穿刺針チップ１２のチップ本体１３からキャップ１４を先端方向に抜き取る。この際、キャップ１４をチップ本体１３の軸方向から傾いた方向に引っ張った場合でも、コレット５により、装着部１５０から離脱する方向へのケーシング１８の移動が確実に阻止されている。これにより、未使用の穿刺針チップ１２が、使用前にその使用ができない状態や針先が十分突出しない状態になってしまうことを防止することができる。
【０１０３】
次いで、チップ本体１３の先端部を測定者の皮膚、例えば、指、手のひら、腕等に押し当て、穿刺ボタン１１６を押下する。これにより、図１４（ａ）に示すように、穿刺ボタン１１６により第１突起１４０が押し下げられ、トリガストッパ１５４と第１突起１４０の係合状態が解除され、プランジャ１０６は弾性付勢された駆動用コイルスプリング１０８によって前方へ駆動され、把持バー１３４を介して穿刺針１５を押し出す。
【０１０４】
このとき、摺動リング１６は、微小段差２４ａに当接したまま穿刺針１５と同時に押し出され、内周段差部３４により過度の前進が制限される。
【０１０５】
穿刺針１５に設けられた針２０の針先は、開口部４２から突出して皮膚を穿刺する。なお、このときの穿刺針１５の位置が穿刺位置である（図１４（ａ））。また、このとき、プランジャ１０６は戻し用コイルスプリング１１０を適度に圧縮している。したがって、該戻し用コイルスプリング１１０が元の長さに復帰する弾性力によってプランジャ１０６は即時に後方に押し戻される。このような穿刺機構により、穿刺針１５を発射準備位置から穿刺位置まで移動させ、その後、基端側に移動させる穿刺動作がなされる。
【０１０６】
また、プランジャ１０６に接続された穿刺針１５の針先が開口部４２から瞬間的に突出する長さは、該プランジャ１０６の小突起１３８が階段部１３９に当接することにより制限及び調整される。
【０１０７】
プランジャ１０６が後退する際、摺動リング１６は４本の弾性レバー２４に係合していることから一体的に後退する。穿刺した皮膚から流出した血液を用いて、所定の血糖測定装置により血糖値の測定を行なってから、穿刺針チップ１２を穿刺装置１から取り外す。
【０１０８】
図１５（ａ）に示すように、プッシャ１２０を押し込むことによって、第１接続体１２２及び第２接続体１２４を介してケーシング１８の後端面を押圧して、使用後の穿刺針チップ１２を直接手で触れることなく取り外すことができる。取り外した穿刺針チップ１２は所定の方法により破棄される。
【０１０９】
また、図１５（ｂ）に示すように、プッシャ１２０を先端側に向かって押し込むとき、ハブ２２は当初、把持バー１３４によって保持されていることから動かない。一方、摺動リング１６は前方膨出部３６に係合してケーシング１８とともに前方に移動することから弾性レバー２４から外れ、係合が解除される。弾性レバー２４は摺動リング１６から抜けるとき、一旦弾性的に縮径し、抜けた後に元の径に戻る。この後、ハブ２２も後方環状膨出部４０に係合してケーシング１８と一体的に前方に移動し、穿刺針チップ１２が穿刺装置１から取り外される。
【０１１０】
取り外された穿刺針チップ１２では、弾性レバー２４は摺動リング１６から抜けて摺動リング１６の内径より拡径していることから、該摺動リング１６が弾性レバー２４の前方への移動を規制する。つまり、摺動リング１６は、ケーシング１８に対するハブ２２の前方への相対的な移動を所定位置で制限する移動制限手段となり、針２０の針先が先端面から再び突出することはない。これにより、穿刺針チップ１２の廃棄に際しても、針２０で皮膚等を傷つけることが防止され、感染の危険が低下する。なお、後方には後方環状膨出部４０がハブ２２の移動を規制し、穿刺針１５が後端側から抜けることがない。
【０１１１】
ところで、使用者によっては、使用後の穿刺針チップ１２を間違って穿刺装置１に装着してしまうことも考えられる。
【０１１２】
この場合、ハブ２２の被把持突起２８に把持バー１３４が係合してプランジャ１０６を後方に押し込むが、ハブ２２は後方環状膨出部４０との初期の係合が解除されてやや前方に配置されていることからプランジャ１０６を十分後方まで移動することができない。したがって、第１突起１４０はトリガストッパ１５４に係合することがなく、駆動用コイルスプリング１０８は付勢状態とはならず、穿刺ボタン１１６を押しても穿刺作業はなされない。
【０１１３】
また、弾性レバー２４の先端が摺動リング１６の後端に当接し、ハブ２２に対してケーシング１８が相対的に後方に移動することを制限するので、これ以上ケーシング１８を後方に向かって押し込んでも駆動用コイルスプリング１０８を少し圧縮するだけであり、手を離すと該駆動用コイルスプリング１０８の弾性力により前方に押し返されてしまう。これにより、スカート４１の後端部４１ｂは受け座１５１に当接することがなくわずかな隙間が発生し、装着部１５０が側方から視認される。これにより、使用者は、装着されている穿刺針チップ１２が使用済みであることを容易に認識することができる。
【０１１４】
以上説明したように、この穿刺装置１によれば、穿刺針チップ１２のケーシング１８が装着部１５０に装着された状態で、ケーシング１８の各リブ４４ａにコレット５の弾性定数の異なる圧接片５８が圧接するので、小の圧接片５８が最も大きく弾性変形し、大の圧接片５８が最も小さく弾性変形し、中の圧接片５８がその間の大きさに弾性変形し、これにより、ケーシング１８の軸が装着部１５０の軸に対して傾斜する。これによって、装着された穿刺針チップ１２のケーシング１８が不本意に装着部１５０から離脱する方向へ移動してしまうことを防止することができる。
【０１１５】
これによって、装着された未使用の穿刺針チップ１２が、使用前にその使用ができない状態になってしまうことや、使用時に針２０の針先がケーシング１８の先端開口部から突出しないということを防止することができる。また、同時に、穿刺針チップ１２を装着あるいは離脱させる際に要する力が過大とならない様に、圧接力の微妙な設定を可能とすることができる。
【０１１６】
なお、本実施形態では、圧接片５８ａ〜５８ｆの弾性定数は、第２スリット５５の長さを調整することにより設定したが、これに限らず、例えば、下記（１）〜（３）の方法が挙げられる。
【０１１７】
（１）  図１６に示すように、圧接片５８ａ〜５８ｆの弾性定数は、第２スリット５５の幅を調整することにより設定する。
【０１１８】
すなわち、「大」の圧接片５８の場合が、第２スリット５５の幅が最小となり、「小」の圧接片５８の場合が、第２スリット５５の幅が最大となり、「中」の圧接片５８の場合が、第２スリット５５の幅がその最大と最小の間となる。
【０１１９】
（２）  図１７に示すように、圧接片５８ａ〜５８ｆの弾性定数は、テーパ部５２の長さを調整することにより設定する。
【０１２０】
すなわち、「大」の圧接片５８の場合が、テーパ部５２の長さが最小となり、「小」の圧接片５８の場合が、テーパ部５２の長さが最大となり、「中」の圧接片５８の場合が、テーパ部５２の長さがその最大と最小の間となる。
【０１２１】
（３）  圧接片５８ａ〜５８ｆの弾性定数は、圧接片５８ａ〜５８ｆの厚さを調整することにより設定する。
【０１２２】
すなわち、「大」の圧接片５８の場合が、圧接片５８の厚さが最大となり、「小」の圧接片５８の場合が、圧接片５８の厚さ最小となり、「中」の圧接片５８の場合が、圧接片５８の厚さがその最大と最小の間となる。
【０１２３】
以上、本発明の穿刺装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１２４】
また、前記実施形態では、穿刺針チップのケーシングの凸部は、リブであるが、本発明では、これに限らず、例えば、突起のように、軸方向に短い形状のものであってもよい。
【０１２５】
また、本発明では、圧接手段は、筒状をなしていなくてもよく、例えば、複数の圧接片のみで構成されていてもよい。
【符号の説明】
【０１２６】
１              穿刺装置
１０            穿刺器具セット
１２            穿刺針チップ
１３            チップ本体
１４            キャップ
１５            穿刺針
１６            摺動リング
１８            ケーシング
２０            針
２２            ハブ
２４            弾性レバー
２４ａ          微小段差
２６            摺動支持部
２８            被把持突起
３０            周面
３２            縮径部
３４            内周段差部
３６            前方膨出部
４０            後方環状膨出部
４１            スカート
４１ａ          嵌合隙間部
４１ｂ          後端部
４２            開口部
４４、４４ａ    リブ
５              コレット
５０            基部
５１            大径部
５２            テーパ部
５３            小径部
５４            第１スリット
５５            第２スリット
５６            フランジ
５７            突出部
５８、５８ａ、５８ｂ、５８ｃ、５８ｄ、５８ｅ、５８ｆ  圧接片
１０２          ケース本体
１０４          ダイヤル部
１０６          プランジャ
１０８          駆動用コイルスプリング
１１０          戻し用コイルスプリング
１１２          後端部材
１１２ａ        前端面
１１４          孔
１１６          穿刺ボタン
１１８          前端部材
１１８ａ        第１部材
１１８ｂ        第２部材
１２０          プッシャ
１２２          第１接続体
１２４          第２接続体
１３０          第１ばね座
１３２          第２ばね座
１３４          把持バー
１３６          弾性片
１３８          小突起
１３９          階段部
１４０          第１突起
１４２          第２突起
１４４          開口
１５０          装着部
１５１          筒先端部（受け座）
１５２          保持部
１５３          装着穴
１５４          トリガストッパ
１５６          アーム
１５８          係合片
１５９          突起
１６２          リブ
１６４、１６６  溝
【図１】
0005902992.tif 000002
【図２】
0005902992.tif 000003
【図３】
0005902992.tif 000004
【図４】
0005902992.tif 000005
【図５】
0005902992.tif 000006
【図６】
0005902992.tif 000007
【図７】
0005902992.tif 000008
【図８】
0005902992.tif 000009
【図９】
0005902992.tif 000010
【図１０】
0005902992.tif 000011
【図１１】
0005902992.tif 000012
【図１２】
0005902992.tif 000013
【図１３】
0005902992.tif 000014
【図１４】
0005902992.tif 000015
【図１５】
0005902992.tif 000016
【図１６】
0005902992.tif 000017
【図１７】
0005902992.tif 000018